(57)【要約】【課題】キーワードの設定作業を簡素化する。正確な課金処理を行う。【解決手段】討論評価管理端末１００の表示部１０４により、グループ討論で必要な題材資料（第１の資料）を表示し、システム制御部１１８により、題材資料（第１の資料）の特定の文字列をグループ討論の評価のためのキーワードを抽出し、評価設定管理部１１６により、抽出された特定の文字列をキーワードとして設定したグループ討論情報を生成し、システム制御部１１８により、グループ討論情報を分析装置２００に送信する。また、評価設定管理部１１６は、ＨＤＤ１０５に記憶されている類似語データベースを参照し、題材資料（第１の資料）から設定したキーワードに類似する類似語を検索し、グループ討論情報に新たなキーワードとして設定する。【選択図】図２
2019008362.tif 000002
【特許請求の範囲】
【請求項１】
類似語データベースと、
グループ討論で必要な第１の資料を表示する表示部と、
前記第１の資料の特定の文字列を前記グループ討論の評価のためのキーワードとして抽出するシステム制御部と、
抽出された前記特定の文字列を前記キーワードとして設定したグループ討論情報を生成する評価設定管理部と、
前記グループ討論情報を分析装置に送信するシステム制御部とを備え、
前記評価設定管理部は、前記類似語データベースを参照し、前記第１の資料から前記設定した前記キーワードに類似する類似語を検索し、前記グループ討論情報に新たなキーワードとして設定する
ことを特徴とする討論評価装置。
【請求項２】
前記評価設定管理部は、第２の資料から前記設定したキーワードに類似する類似語を検索し、前記グループ討論情報に新たなキーワードとして設定することを特徴とする請求項１に記載の討論評価装置。
【請求項３】
前記評価設定管理部は、重み係数を有する重み付け情報を参照し、前記キーワードに重み係数を付加することを特徴とする請求項１又は２に記載の討論評価装置。
【請求項４】
前記評価設定管理部は、前記類似語の検索数に応じて前記キーワードに付加する重み係数の値を変えることを特徴とする請求項３に記載の討論評価装置。
【請求項５】
前記資料は、前記グループ討論で使用する題材資料又は前記グループ討論での記述回答に対する模範回答であることを特徴とする請求項１〜４のいずれかに記載の討論評価装置。
【請求項６】
討論評価装置を制御するコンピューターに実行させる討論評価プログラムであって、
表示部により、グループ討論で必要な第１の資料を表示する工程と、
システム制御部により、前記第１の資料の特定の文字列を前記グループ討論の評価のためのキーワードとして抽出する工程と、
評価設定管理部により、抽出された前記特定の文字列を前記キーワードとして設定したグループ討論情報を生成する工程と、
システム制御部により、前記グループ討論情報を分析装置に送信する工程とを有し、
前記評価設定管理部は、類似語データベースを参照し、前記第１の資料から前記設定した前記キーワードに類似する類似語を検索し、前記グループ討論情報に新たなキーワードとして設定する
ことを特徴とする討論評価プログラム。
【請求項７】
前記評価設定管理部は、第２の資料から前記設定したキーワードに類似する類似語を検索し、前記グループ討論情報に新たなキーワードとして設定することを特徴とする請求項６に記載の討論評価プログラム。
【発明の詳細な説明】
【技術分野】
【０００１】
本発明は、グループ討論での評価に適した討論評価装置及び討論評価プログラムに関する。
【背景技術】
【０００２】
教育の現場等においては、教育の一環としてグループ討論が行われる場合がある。グループ討論では、たとえば教師が用意した題材に沿って生徒が討論を行う。この場合、教師が生徒による題材に沿ったグループ討論での発言内容等を元に、グループ討論の評価を行う。
【０００３】
このようなグループ討論の評価に関するものとして、特許文献１では、特性語取得手段により、グループの状態に関わる少なくとも１つの特性毎に対応付けられた語、句、節又は文である設定された特性語を取得し、特性語抽出手段により、推定対象グループで提供された情報に係るテキストから特性語を抽出し、グループ状態決定手段により、抽出された特性語の出現数又は出現比率に基づいて、推定対象グループにおける特性の度合い又は割合を算出し、算出した特性の度合い又は割合に係る情報を、推定対象グループの状態とするグループ状態推定プログラムを提案している。
【先行技術文献】
【特許文献】
【０００４】
【特許文献１】特開２０１７−０２７５３６号公報
【発明の概要】
【発明が解決しようとする課題】
【０００５】
上述した特許文献１のグループ状態推定プログラムでは、抽出した特性語の出現数又は出現比率に基づき、推定対象グループにおける特性の度合い又は割合を算出することで、グループの状態を客観的に推定できる。
【０００６】
ところで、このグループ状態推定プログラムでは、推定対象グループにおける特性の度合い又は割合を算出するための語、句、節又は文である特性語を予め設定している。これにより、推定対象グループで提供された情報に係るテキストに予め設定してある特性語が含まれている場合には、推定対象グループにおける特性の度合い又は割合を算出できる。ところが、推定対象グループで提供された情報に係るテキストに、予め設定してある特性語に類似する他の語、句、節又は文が含まれている場合、類似する他の語、句、節又は文を含めての特性の度合い又は割合を算出できないことになる。
【０００７】
この場合、特性語に類似する他の語、句、節又は文を予め登録しておくことで、類似する他の語、句、節又は文を含めての特性の度合い又は割合を算出できるものと考えられる。ところが、推定対象グループにおける特性の度合い又は割合の算出の元となる特性語と特性語に類似する他の特性語とを選定する必要があり、選定作業が繁雑となるという問題がある。
【０００８】
本発明は、このような状況に鑑みてなされたものであり、上記問題点を解消することができる討論評価装置及び討論評価プログラムを提供することを目的とする。
【課題を解決するための手段】
【０００９】
本発明の討論評価装置は、類似語データベースと、グループ討論で必要な第１の資料を表示する表示部と、前記第１の資料の特定の文字列を前記グループ討論の評価のためのキーワードとして抽出するシステム制御部と、抽出された前記特定の文字列を前記キーワードとして設定したグループ討論情報を生成する評価設定管理部と、前記グループ討論情報を分析装置に送信するシステム制御部とを備え、前記評価設定管理部は、前記類似語データベースを参照し、前記第１の資料から前記設定した前記キーワードに類似する類似語を検索し、前記グループ討論情報に新たなキーワードとして設定することを特徴とする。
また、前記評価設定管理部は、第２の資料から前記設定したキーワードに類似する類似語を検索し、前記グループ討論情報に新たなキーワードとして設定することを特徴とする。
また、前記評価設定管理部は、重み係数を有する重み付け情報を参照し、前記キーワードに重み係数を付加することを特徴とする。
また、前記評価設定管理部は、前記類似語の検索数に応じて前記キーワードに付加する重み係数の値を変えることを特徴とする。
また、前記資料は、前記グループ討論で使用する題材資料又は前記グループ討論での記述回答に対する模範回答であることを特徴とする。
本発明の討論評価プログラムは、討論評価装置を制御するコンピューターに実行させる討論評価プログラムであって、表示部により、グループ討論で必要な第１の資料を表示する工程と、システム制御部により、前記第１の資料の特定の文字列を前記グループ討論の評価のためのキーワードとして抽出する工程と、評価設定管理部により、抽出された前記特定の文字列を前記キーワードとして設定したグループ討論情報を生成する工程と、システム制御部により、前記グループ討論情報を分析装置に送信する工程とを有し、前記評価設定管理部は、類似語データベースを参照し、前記第１の資料から前記設定した前記キーワードに類似する類似語を検索し、前記グループ討論情報に新たなキーワードとして設定することを特徴とする。
また、前記評価設定管理部は、第２の資料から前記設定したキーワードに類似する類似語を検索し、前記グループ討論情報に新たなキーワードとして設定することを特徴とする。
本発明の討論評価装置及び討論評価プログラムでは、表示部により、グループ討論で必要な第１の資料を表示し、システム制御部により、第１の資料の特定の文字列を前記グループ討論の評価のためのキーワードとして抽出し、評価設定管理部により、抽出された文字列を前記キーワードとして設定したグループ討論情報を生成し、システム制御部により、グループ討論情報を分析装置に送信する。また、評価設定管理部は、類似語データベースを参照し、第１の資料から設定したキーワードに類似する類似語を検索し、グループ討論情報に新たなキーワードとして設定する。
これにより、第１の資料から設定したキーワードに類似する類似語については、類似語データベースから検索してグループ討論情報に新たなキーワードとして設定されるため、類似語に対する設定作業が不要となる。
【発明の効果】
【００１０】
本発明の討論評価装置及び討論評価プログラムによれば、第１の資料から設定したキーワードに類似する類似語を類似語データベースから検索し、グループ討論情報に新たなキーワードとして設定するので、キーワードの設定作業を簡素化できる。
【図面の簡単な説明】
【００１１】
【図１】本発明の討論評価装置の一実施形態を説明するための図である。
【図２】図１の討論評価管理端末、分析装置、グループ討論用端末の構成の一例を示す図である。
【図３】図１の討論評価管理端末の評価設定管理部によって設定されるキーワードについて説明するための図であり、図３（ａ）は題材資料に付されたマーカーによってキーワードを選択する場合を示し、図３（ｂ）は題材資料で選択されたキーワードの類似語を新たなキーワードとして設定する場合を説明するための図である。
【図４】図１の討論評価管理端末の評価設定管理部により、題材資料で選択されたキーワードの類似語を他の題材資料から検索し、新たなキーワードとして設定する場合を説明するための図である。
【図５】図２の討論評価管理端末のＨＤＤに記憶されている類似語データベースを示す図である。
【図６】図１の討論評価管理端末が作成する情報について説明するものであって、図６（ａ）は図１の討論評価管理端末の評価設定管理部が生成いるグループ討論情報を説明するための図であり、図６（ｂ）はグループ討論情報に付加されるキーワードの重み係数について説明するための図である。
【図７】図１の分析装置による分析結果を示すものであり、図７（ａ）はグループ討論での音声の分析結果に基づいたグループ討論評価の一例を示す図であり、図７（ｂ）は記述回答の分析結果に基づいた記述回答評価の一例を示す図である。
【図８】図１の討論評価管理端末側での処理を説明するためのフローチャートである。
【図９】図１の分析装置側での処理を説明するためのフローチャートである。
【発明を実施するための形態】
【００１２】
以下、本発明の討論評価装置の一実施形態を、図１〜図９を参照しながら説明する。なお、以下の説明においての討論評価装置は、たとえば図１に示す討論評価管理端末１００である。
【００１３】
まず、図１に示すように、討論評価管理端末１００は、ネットワーク４００を介して分析装置２００とグループ討論用端末３００とに接続されている。ネットワーク４００は、インターネットやＬＡＮ（Local Area Network）等であってもよい。討論評価管理端末１００は、詳細については後述するが、たとえばグループ討論の評価に必要な後述の図６（ａ）に示すグループ討論情報１２０等を生成する。分析装置２００は、討論評価管理端末１００からの後述の図６（ａ）に示すグループ討論情報１２０と、グループ討論用端末３００からの音声情報等とを受け取り、グループ討論の評価に必要な分析を行う。なお、分析装置２００は、構内に設置されていてもよいし、構外に設置されていてもよい。グループ討論用端末３００は、グループ討論で用いられる。グループ討論用端末３００としては、タブレットやノートパソコン等を使用できる。なお、符号３２０は、グループ討論用端末３００の後述の図２に示すパネル部３０２を介して文字等を入力する入力ペンを示している。
【００１４】
次に、図２を参照し、討論評価管理端末１００、分析装置２００、グループ討論用端末３００の構成の一例について説明する。まず、討論評価管理端末１００は、Ｉ／Ｆ（インターフェース）１０１、キーボード１０２、マウス１０３、表示部１０４、ＨＤＤ（Hard Disk Drive）１０５を制御する制御部１１０を備えている。
【００１５】
Ｉ／Ｆ１０１は、ネットワーク４００を介し、分析装置２００やグループ討論用端末３００等との通信を受け持つ。なお、Ｉ／Ｆ１０１は、ネットワーク４００を介し、図示しないコンテンツサーバーやウェブサーバーなどとの通信を受け持ってもよい。キーボード１０２は、制御部１１０に文字などを入力する入力デバイスである。マウス１０３は、制御部１１０に入力位置などを指示する入力デバイスである。表示部１０４は、文字等の情報を表示する。ＨＤＤ１０５は、討論評価管理端末１００の種々の機能を提供するためのアプリケーションプログラムなどを記憶している記憶デバイスである。また、ＨＤＤ１０５は、後述の図５に示す類似語データベース１４０を記憶している。
【００１６】
制御部１１０は、アプリケーションプログラム及び制御プログラムなどを実行して討論評価管理端末１００全体の動作を制御するプロセッサーである。制御部１１０は、通信制御部１１１、ＲＡＭ（Random Access Memory）１１２、ＲＯＭ（Read-Only Memory）１１３、入力デバイス制御部１１４、表示制御部１１５、評価設定管理部１１６、ＨＤＤ制御部１１７、システム制御部１１８を備えている。また、これらは、データバス１１９に接続されている。
【００１７】
通信制御部１１１は、Ｉ／Ｆ１０１を介し、分析装置２００、グループ討論用端末３００等との送受信の制御を行う。ＲＡＭ１１２は、プログラムを実行するためのワークメモリーである。ＲＯＭ１１３には、各部の動作チェックなどを行う制御プログラムが記憶されている。入力デバイス制御部１１４は、キーボード１０２及びマウス１０３の入力動作を制御し、キーボード１０２及びマウス１０３の入力信号を制御部１１０に渡す。表示制御部１１５は、表示部１０４の表示動作を制御する。評価設定管理部１１６は、グループ討論での評価に関わる情報を管理する。また、評価設定管理部１１６は、詳細については後述するが、後述の図３（ａ）に示すグループ討論で使用される題材資料１５０Ａで選択されたキーワードａ〜ｃを元に、題材資料１５０Ａ内でキーワードａ〜ｃに類似する他の文字列を検索し、後述の図３（ｂ）に示すように、検索した他の文字列をキーワードａ１〜ｃ１とする。また、評価設定管理部１１６は、詳細については後述するが、後述の図３（ａ）に示すグループ討論で使用される題材資料１５０Ａで選択されたキーワードａ〜ｃを元に、キーワードａ〜ｃが選択されていない後述の図４に示す他の題材資料１５０Ｂについてもキーワードａ〜ｃに類似する他の文字列を検索し、検索した他の文字列をキーワードａ１〜ｃ１とする。ＨＤＤ制御部１１７は、ＨＤＤ１０５に対するデータの読み出し及び書き込みなどを制御する。
【００１８】
システム制御部１１８は、各部の連携動作などを制御する。また、システム制御部１１８は、評価設定管理部１１６に対し、後述の図６（ａ）に示すグループ討論情報１２０等の生成を指示する。
【００１９】
分析装置２００は、Ｉ／Ｆ２０１、ＨＤＤ２０２等を制御する制御部２１０を備えている。Ｉ／Ｆ２０１は、討論評価管理端末１００、グループ討論用端末３００等との通信を受け持つ。なお、Ｉ／Ｆ２０１は、ネットワーク４００を介し、図示しないコンテンツサーバーやウェブサーバーなどとの通信を受け持ってもよい。
【００２０】
制御部２１０は、アプリケーションプログラム及び制御プログラムなどを実行して分析装置２００全体の動作を制御するプロセッサーである。制御部２１０は、ＲＡＭ２１１、ＲＯＭ２１２、音声認識部２１３、発話分析部２１４、記述分析部２１５、ＨＤＤ制御部２１６、通信制御部２１７、システム制御部２１８を備えている。また、これらは、データバス２１９に接続されている。
【００２１】
ＲＡＭ２１１は、プログラムを実行するためのワークメモリーである。ＲＯＭ２１２は、各部の動作チェックなどを行う制御プログラムを記憶している。音声認識部２１３は、グループ討論用端末３００からのグループ討論での音声情報を元に音声認識を行い、音声認識の結果としてテキストを作成する。発話分析部２１４は、音声認識部２１３が作成したテキストと、後述の図６（ａ）に示すグループ討論情報１２０の項目欄１２０ｅ〜１２０ｇに登録されているキーワードａ〜ｃ及び重み係数とを元に、たとえば理解力、表現力、積極性、協調性についての分析を行う。記述分析部２１５は、グループ討論用端末３００から受け取ったグループ討論での図示しない記述回答情報と、討論評価管理端末１００から受け取った図示しない模範回答情報とを比較し、たとえば理解力、表現力についての分析を行う。ＨＤＤ制御部２１６は、ＨＤＤ２０２に対するデータの読み出し及び書き込みなどを制御する。通信制御部２１７は、Ｉ／Ｆ２０１を介し、討論評価管理端末１００、グループ討論用端末３００との間で、データなどの送受信の制御を行う。
【００２２】
システム制御部２１８は、各部の連携動作などを制御する。また、システム制御部２１８は、討論評価管理端末１００から受け取った後述の図６（ａ）に示すグループ討論情報１２０をＨＤＤ２０２に記憶させる。また、システム制御部２１８は、グループ討論用端末３００から受け取った音声情報をＨＤＤ２０２に記憶させる。また、システム制御部２１８は、討論評価管理端末１００から受け取った図示しない模範回答情報と、グループ討論用端末３００から受け取った図示しない記述回答情報とをＨＤＤ２０２に記憶させる。
【００２３】
グループ討論用端末３００は、Ｉ／Ｆ３０１、パネル部３０２、スピーカー３０３、マイク３０４等を制御する制御部３１０を備えている。Ｉ／Ｆ３０１は、ネットワーク４００を介し、分析装置２００、討論評価管理端末１００等との通信を受け持つ。なお、Ｉ／Ｆ３０１は、ネットワーク４００を介し、図示しないコンテンツサーバーやウェブサーバーなどとの通信を受け持ってもよい。パネル部３０２は、文字等の情報を表示する。また、パネル部３０２は、入力ペン３２０や指先等による入力を受け付けるタッチパネルでもある。スピーカー３０３は、音声を出力する。マイク３０４は、グループ討論での音声を取り込む。
【００２４】
制御部３１０は、アプリケーションプログラム及び制御プログラムなどを実行してグループ討論用端末３００全体の動作を制御するプロセッサーである。制御部３１０は、ＲＡＭ３１１、ＲＯＭ３１２、通信制御部３１３、パネル操作制御部３１４、スピーカー制御部３１５、マイク制御部３１６、システム制御部３１７を備えている。また、これらは、データバス３１８に接続されている。
【００２５】
ＲＡＭ３１１は、プログラムを実行するためのワークメモリーである。ＲＯＭ３１２には、各部の動作チェックなどを行う制御プログラムが記憶されている。通信制御部３１３は、Ｉ／Ｆ３０１を介し、分析装置２００、討論評価管理端末１００等との送受信の制御を行う。パネル操作制御部３１４は、パネル部３０２の表示動作を制御する。また、パネル操作制御部３１４は、入力ペン３２０や指先等によるタッチ操作によっての入力を受け付ける。スピーカー制御部３１５は、スピーカー３０３の音声出力を制御する。マイク制御部３１６は、マイク３０４の音声の取り込みを制御する。システム制御部３１７は、スピーカー３０３から取り込んだ音声を、たとえばＲＡＭ３１１に記憶させる。また、システム制御部３１７は、パネル操作制御部３１４がパネル部３０２を介して記述回答を受け付けると、パネル操作制御部３１４が受け付けた記述回答をＲＡＭ３１１に記憶させる。また、システム制御部３１７は、グループ討論が完了すると、討論評価管理端末１００にグループ討論の完了を示す通知を出す。また、システム制御部３１７は、討論評価管理端末１００からの音声情報の送信指示があると、分析装置２００に対してグループ討論での音声情報を送信する。
【００２６】
次に、図３〜図６を参照し、討論評価管理端末１００によるグループ討論の評価に必要な情報の設定について説明する。まず、図３及び図４は、グループ討論で使用される題材資料１５０Ａ、１５０Ｂの一例を示している。ただし、図３（ａ）の題材資料１５０Ａについてはキーワードａ〜ｃとなる文字列が選択されているが、図４の題材資料１５０Ｂについてはキーワードａ〜ｃとなる文字列が選択されていないとする。また、題材資料１５０Ａ、１５０Ｂは、ワープロソフトで作成されたテキストであってもよいし、画像形成装置のスキャナーによって読み取られ、ＯＣＲ（Optical Character Reader）によって文字認識されたテキストであってもよい。
【００２７】
まず、図３（ａ）の題材資料１５０Ａに示されている符号ｍは、グループ討論の評価に必要なキーワードａ〜ｃの選択を示すマーカーを示している。題材資料１５０Ａにマーカーｍを付加する場合、たとえば題材資料１５０Ａを表示部１０４に表示させた状態で、キーボード１０２又はマウス１０３を操作し、キーワードａ〜ｃとする文字列を選択する。なお、ＯＣＲによって文字認識されたテキストの場合、予め図示しない原稿にマーカーｍを付加しておくことで、表示部１０４上でのマーカーｍの付加を省くことができる。ここで、評価設定管理部１１６は、図５に示す類似語データベース１４０を参照し、図３（ａ）の題材資料１５０Ａで選択されたキーワードａ〜ｃを元に、題材資料１５０Ａ内でのキーワードａ〜ｃの類似語を検索する。
【００２８】
そして、評価設定管理部１１６は、図３（ｂ）に示すように、キーワードａ〜ｃの類似語を検索すると、それぞれの類似語をキーワードａ１〜ｃ１として設定する。また、評価設定管理部１１６は、図４に示すグループ討論で使用される他の題材資料１５０Ｂについても、図５に示す類似語データベース１４０を参照し、題材資料１５０Ａで選択されたキーワードａ〜ｃを元に、類似語を検索し、検索したそれぞれの類似語をキーワードａ１〜ｃ１として設定する。なお、図３（ａ）では、マーカーｍの付加によってキーワードａ〜ｃを選択させる場合としているが、これに限らず、文字列自体の色を変えることで、色を変えた文字列をキーワードａ〜ｃとしてもよい。また、文字列自体を枠で囲い、枠で囲った文字列をキーワードａ〜ｃとしてもよい。
【００２９】
次に、図５を参照し、ＨＤＤ１０５に記憶されている類似語データベース１４０の一例について説明する。類似語データベース１４０には、たとえば「あ〜ん」までの接頭語ｓに対応させた複数の類似語が登録されている。類似語については、追加や削除追加等も可能である。
【００３０】
次に、図６を参照し、討論評価管理端末１００によって生成されるグループ討論の評価用の情報について説明する。図６（ａ）はグループ討論情報１２０を示し、図６（ｂ）はキーワードａ〜ｃの重み付け情報１３０を示している。まず、図６（ａ）に示すグループ討論情報１２０には、タイトルを示す項目欄１２０ａ、日時を示す項目欄１２０ｂ、種別を示す項目欄１２０ｃ、グループ名を示す項目欄１２０ｄ、重み係数を含むキーワードａ〜ｃ、ａ１〜ｃ１を示す項目欄１２０ｅ〜１２０ｊが設けられている。ここで、項目欄１２０ａ〜１２０ｄには、討論評価管理端末１００のキーボード１０２等の操作により、タイトル、日時、種別、グループ名が入力される。これに対し、項目欄１２０ｅ〜１２０ｊには、題材資料１５０Ａに付加されたマーカーｍによって選択されるキーワードａ〜ｃと、キーワードａ〜ｃに類似する類似語のキーワードａ１〜ｃ１を示す内容が反映される。なお、項目欄１２０ｅ〜１２０ｊにおけるキーワードａ〜ｃ、ａ１〜ｃ１に該当する内容の反映は、評価設定管理部１１６が行う。また、評価設定管理部１１６は、項目欄１２０ｅ〜１２０ｊに反映させたそれぞれのキーワードａ〜ｃ、ａ１〜ｃ１に、図６（ｂ）に示す重み付け情報１３０が示す重み係数を付加する。ここで、重み係数はキーワードａ〜ｃ、ａ１〜ｃ１の重要度を示すものである。
【００３１】
評価設定管理部１１６は、キーワードａ〜ｃの類似語であるキーワードａ１〜ｃ１に対する重み係数を、キーワードａ〜ｃに対する重み係数未満の値（たとえば特定の値だけ小さい値（但し、０＜「特定の値」＝＜「キーワードａ１〜ｃ１に対する重み係数」）、または特定の割合（但し、０＜「特定の割合」＝＜１）だけ小さい値）に設定する。評価設定管理部１１６は、たとえばキーワードａ〜ｃに対する重み係数の０．６が規定値として設定されている場合、キーワードａ〜ｃに対して重み係数の０．６を付加する。また、評価設定管理部１１６は、たとえばキーワードａ〜ｃの類似語であるキーワードａ１〜ｃ１に対する重み係数の０．４（＝０．６−０．２、または＝０．６×（２／３）。「０．２」は特定の値、「２／３」は特定の割合を示す。）が規定値として設定されている場合、キーワードａ１〜ｃ１に対して重み係数の０．４を付加する。なお、キーワードａ〜ｃ、ａ１〜ｃ１に付加する重み係数については、任意に変更できる。すなわち、キーワードａ〜ｃ、ａ１〜ｃ１の重み係数をそれぞれ同じとしてもよいし、キーワードａ〜ｃに対する類似語が複数ある場合は、キーワードａ〜ｃの重み係数を高くしてもよい。また、類似語のキーワードａ１〜ｃ１に対する他の類似語をキーワードａ１〜ｃ１としてもよい。また、項目欄１２０ｅ〜１２０ｊに反映された重み係数については、キーボード１０２等の操作によって変更してもよい。
【００３２】
すなわち、項目欄１２０ｅには、（うそをつかず）としたキーワードａが反映され、さらにキーワードａに重み係数の０．６が付加される。また、項目欄１２０ｆには、キーワードａの類似語の（うそっぱち）としたキーワードａ１が反映され、さらにキーワードａ１に重み係数の０．４が付加される。また、項目欄１２０ｇには、（悪い評判）としたキーワードｃが反映され、さらにキーワードｃに重み係数の０．６が付加される。また、項目欄１２０ｈには、キーワードｃの類似語の（不名誉）としたキーワードｃ１が反映され、さらにキーワードｃ１に重み係数の０．４が付加される。また、項目欄１２０ｉには、（今夜の）としたキーワードｂが反映され、さらにキーワードｂに重み係数の０．６が付加される。また、項目欄１２０ｊには、キーワードｂの類似語の（今晩）としたキーワードｂ１が反映され、さらにキーワードｂ１に重み係数の０．４が付加される。
【００３３】
また、マーカーｍの色を変えることで、マーカーｍの色毎にキーワードａ〜ｃの重み係数を決定してもよい。すなわち、マーカーｍの色が赤の場合は重み係数が１．０，マーカーｍの色が青の場合は重み係数が０．８、マーカーｍの色が緑の場合は重み係数が０．６、マーカーｍの色が黄色の場合は重み係数が０．４、マーカーｍの色が紫の場合は重み係数が０．２としてもよい。このように、マーカーｍのいろによってキーワードａ〜ｃの重み係数を変えることにより、重み係数の設定がさらに簡略化される。また、項目欄１２０ｅ〜１２０ｊのキーワードａ〜ｃ、ａ１〜ｃ１には、下線で示すリンク情報が付加されている。たとえばマウス１０３で下線が付加されたキーワードａをクリックすると、図３に示した題材資料１５０Ａのキーワードａに該当する「うそをつかず」とした文字列が表示される。
【００３４】
また、マーカーｍによるキーワードａ〜ｃ、ａ１〜ｃ１の設定及び重み係数の付加は、記述回答の評価においても使用できる。すなわち、図３の題材資料１５０Ａと同様に、記述回答に対する模範回答の文字列にマーカーｍを付加しておくことで、評価に必要なキーワードａ〜ｃや、キーワードａ〜ｃの類似語であるキーワードａ１〜ｃ１に対する重み係数の設定が可能となる。
【００３５】
次に、図７を参照し、分析装置２００によるグループ討論の評価について説明する。ここで、図７（ａ）はグループ討論での評価の一例を示し、図７（ｂ）は記述回答での評価の一例を示している。まず、図７（ａ）では、発話分析部２１４による分析により、グループ討論での音声の分析結果を示している。すなわち、発話分析部２１４は、討論評価管理端末１００からの図３及び図４の題材資料１５０Ａ、１５０Ｂを示す題材資料情報と、図６（ａ）のグループ討論情報１２０と、音声認識部２１３の音声認識結果とを元に、発話分析を行う。この場合、発話分析部２１４は、たとえば音声認識部２１３の音声認識結果に、グループ討論情報１２０のキーワードａ〜ｃ、ａ１〜ｃ１がどのぐらい含まれているかを分析する。また、発話分析部２１４は、グループ討論情報１２０のキーワードａ〜ｃ、ａ１〜ｃ１に対応する重み係数を参照し、分析したキーワードａ〜ｃ、ａ１〜ｃ１の出現回数に応じた分析値を算出する。すなわち、たとえば「うそをつかず」としたキーワードａの重み係数が１．０で、音声認識結果に５０個含まれていたとする。この場合、たとえばキーワードａの出現回数に重み係数の１．０を乗算することで、キーワードａについては５０とした分析値が得られる。また、たとえば「うそっぱち」としたキーワードａ１の重み係数が０．４で、音声認識結果に１００個含まれていたとする。この場合、たとえばキーワードａ１の出現回数に重み係数の０．４を乗算することで、キーワードａ１については４０とした分析値が得られる。また、たとえば「悪い評判」としたキーワードｃの重み係数が１．０で、音声認識結果に５０個含まれていたとする。この場合、たとえばキーワードｃの出現回数に重み係数の１．０を乗算することで、キーワードｃについては５０とした分析値が得られる。また、たとえば「不名誉」としたキーワードｃ１の重み係数が０．４で、音声認識結果に１００個含まれていたとする。この場合、たとえばキーワードｃ１の出現回数に重み係数の０．４を乗算することで、キーワードｃ１については４０とした分析値が得られる。
また、たとえば「今夜の」としたキーワードｂの重み係数が１．０で、音声認識結果に５０個含まれていたとする。この場合、たとえばキーワードｂの出現回数に重み係数の１．０を乗算することで、キーワードｂについては５０とした分析値が得られる。また、たとえば「今晩」としたキーワードｂ１の重み係数が０．４で、音声認識結果に１００個含まれていたとする。この場合、たとえばキーワードｂ１の出現回数に重み係数の０．４を乗算することで、キーワードｂ１については４０とした分析値が得られる。発話分析部２１４は、このような分析値に基づき、図７（ａ）のように、たとえば理解力、表現力、積極性、協調性等についての分析結果であるグループ討論評価２３０を作成する。
【００３６】
また、記述分析部２１５は、記述回答に対して、たとえば図７（ｂ）に示す記述回答評価２４０を作成する。すなわち、記述分析部２１５は、グループ討論用端末３００から受け取ったグループ討論での図示しない記述回答情報と、討論評価管理端末１００が受け取った図示しない模範回答情報とを比較し、たとえば理解力、表現力についての分析を行い、分析結果である記述回答評価２４０を作成する。この場合、討論評価管理端末１００が、記述回答用の評価に必要な情報として、たとえば図６（ａ）に示したグループ討論情報１２０と同様の図示しない記述回答評価情報を作成し、分析装置２００に送信する。すなわち、記述回答に対する模範回答の文字列を、たとえば図３に示したマーカーｍによって選択し、上述したキーワードａ〜ｃを設定する。同様に、キーワードａ〜ｃの類似語を検索し、検索した類似語のキーワードａ１〜ｃ１を併せて設定する。さらに、それぞれのキーワードａ〜ｃ、ａ１〜ｃ１に図６（ｂ）に示した重み係数を付加する。そして、記述分析部２１５は、たとえば記述回答情報に、グループ討論情報１２０のキーワードａ〜ｃ、ａ１〜ｃ１がどのぐらい含まれているかを分析する。また、記述分析部２１５は、グループ討論情報１２０のキーワードａ〜ｃ、ａ１〜ｃ１に対応する重み計数を参照し、分析したキーワードａ〜ｃ、ａ１〜ｃ１の出現回数に応じた分析値を算出する。すなわち、記述分析部２１５は、たとえばキーワードａ〜ｃ、ａ１〜ｃ１の出現回数に重み計数を乗算することで、分析したキーワードａ〜ｃ、ａ１〜ｃ１の分析値を算出する。記述分析部２１５は、図示しない記述回答情報と、図示しない模範回答情報とを比較し、さらに図示しない記述回答評価情報を参照することで、記述回答を分析し、キーワードａ〜ｃ、ａ１〜ｃ１の分析結果による分析値に基づき、図７（ｂ）のように、例えば、理解力、表現力等の記述回答評価２４０を作成する。なお、グループ討論評価２３０や記述回答評価２４０を示すグラフについては、棒グラフであってもよいし、円グラフであってもよいし、レーダーチャートであってもよい。
【００３７】
次に、図８を参照し、討論評価管理端末１００側の処理について説明する。なお、以下においては、題材資料１５０Ａ、１５０Ｂに基づいたグループ討論の場合で説明する。また、題材資料１５０Ａについては、上述したように、マーカーｍによってキーワードａ〜ｃのみが設定される場合で説明する。
【００３８】
（ステップＳ１０１）
システム制御部１１８は、題材資料情報（すなわち題材資料１５０）を表示させる。
この場合、システム制御部１１８は、表示制御部１１５に対し、表示部１０４に図３（ａ）に示した題材資料１５０Ａの表示を指示する。
【００３９】
（ステップＳ１０２）
システム制御部１１８は、マーカーｍが付加されたかどうかを判断する。
この場合、表示制御部１１５は、表示された題材資料１５０の文字列にマーカーｍが付加されていれば、マーカーｍが付加されたことをシステム制御部１１８に通知する。システム制御部１１８は、表示制御部１１５からのマーカーｍが付加されたことを示す通知が（たとえば一定時間）無ければマーカーｍが付加されないと判断する（ステップＳ１０２：Ｎｏ）。
これに対し、システム制御部１１８は、表示制御部１１５からのマーカーｍが付加されたことを示す通知が有ればマーカーｍが付加されたと判断し（ステップＳ１０２：Ｙｅｓ）、ステップＳ１０３に移行する。
【００４０】
（ステップＳ１０３）
システム制御部１１８は、類似語を含めたグループ討論情報１２０の生成を指示する。
この場合、システム制御部１１８は、評価設定管理部１１６に対し、グループ討論情報１２０の生成を指示する。
このとき、評価設定管理部１１６は、題材資料１５０Ａに付加されたマーカーｍが示す文字列をキーワードａ〜ｃとする。また、評価設定管理部１１６は、図５に示した類似語データベース１４０を参照し、題材資料１５０Ａにキーワードａ〜ｃとした文字列に類似する類似語を検索する。評価設定管理部１１６は、キーワードａ〜ｃとした文字列に類似する類似語を検索できた場合、それぞれの類似語をキーワードａ１〜ｃ１とする。
そして、評価設定管理部１１６は、マーカーｍによって選択されたキーワードａ〜ｃと、キーワードａ〜ｃの文字列に類似する類似語のキーワードａ１〜ｃ１とを図６（ａ）に示したグループ討論情報１２０の項目欄１２０ｅ〜１２０ｊに登録する。また、評価設定管理部１１６は、項目欄１２０ｅ〜１２０ｊに登録したそれぞれのキーワードａ〜ｃ、ａ１〜ｃ１に、図６（ｂ）に示した重み付け情報１３０が示す重み係数を付加する。ここで、評価設定管理部１１６は、たとえばキーワードａ〜ｃに対する重み係数の０．６が規定値として設定されている場合、キーワードａ〜ｃに対して重み係数の０．６を付加する。また、評価設定管理部１１６は、たとえばキーワードａ〜ｃの類似語であるキーワードａ１〜ｃ１に対する重み係数の０．４が規定値として設定されている場合、キーワードａ１〜ｃ１に対して重み係数の０．４を付加する。
なお、項目欄１２０ｅ〜１２０ｊのキーワードａ〜ｃ、ａ１〜ｃ１に付加された重み係数については、キーボード１０２等の操作によって変更してもよい。また、グループ討論情報１２０の項目欄１２０ａ〜１２０ｄには、タイトル、日時、種別、グループ名が既に登録されているものとする。
【００４１】
（ステップＳ１０４）
システム制御部１１８は、グループ討論情報１２０の生成が完了したかどうかを判断する。
この場合、システム制御部１１８は、評価設定管理部１１６からのグループ討論情報１２０の生成が完了したことを示す通知が無ければグループ討論情報１２０の生成が完了していないと判断する（ステップＳ１０４：Ｎｏ）。
これに対し、システム制御部１１８は、評価設定管理部１１６からのグループ討論情報１２０の生成が完了したことを示す通知が有ればグループ討論情報１２０の生成が完了したと判断し（ステップＳ１０４：Ｙｅｓ）、ステップＳ１０５に移行する。
【００４２】
（ステップＳ１０５）
システム制御部１１８は、グループ討論情報１２０を送信させる。
この場合、システム制御部１１８は、通信制御部１１１に対し、評価設定管理部１１６が生成したグループ討論情報１２０を分析装置２００に送信させる。
【００４３】
（ステップＳ１０６）
システム制御部１１８は、グループ討論が終了したかどうかを判断する。
この場合、システム制御部１１８は、通信制御部１１１を介し、グループ討論用端末３００からのグループ討論の終了を示す通知が無ければグループ討論が終了していないと判断する（ステップＳ１０６：Ｎｏ）。
これに対し、システム制御部１１８は、通信制御部１１１を介し、グループ討論用端末３００からのグループ討論の終了を示す通知が有ればグループ討論が終了したと判断し（ステップＳ１０６：Ｙｅｓ）、ステップＳ１０７に移行する。
【００４４】
（ステップＳ１０７）
システム制御部１１８は、通信制御部１１１を介し、グループ討論用端末３００に対して音声情報の送信を指示する。
このとき、グループ討論用端末３００のシステム制御部３１７は、たとえばＲＡＭ３１１に記憶させたグループ討論での音声情報を通信制御部３１３を介し、分析装置２００に送信する。
なお、図８に示す処理おいて、題材資料１５０を模範回答資料と読み替えることができる。
【００４５】
次に、図８を参照し、分析装置２００側の処理について説明する。
【００４６】
（ステップＳ２０１）
システム制御部２１８は、グループ討論情報１２０を受け取ったかどうかを判断する。
この場合、システム制御部２１８は、通信制御部２１７からのグループ討論情報１２０を受け取ったことを示す通知が無ければグループ討論情報１２０を受け取っていないと判断する（ステップＳ２０１：Ｎｏ）。
これに対し、システム制御部２１８は、通信制御部２１７からのグループ討論情報１２０を受け取ったことを示す通知が有ればグループ討論情報１２０を受け取ったと判断し（ステップＳ２０１：Ｙｅｓ）、ステップＳ２０２に移行する。
【００４７】
（ステップＳ２０２）
システム制御部２１８は、音声情報を受け取ったかどうかを判断する。
この場合、システム制御部２１８は、通信制御部２１７からの音声情報を受け取ったことを示す通知が無ければ音声情報を受け取っていないと判断する（ステップＳ２０２：Ｎｏ）。
これに対し、システム制御部２１８は、通信制御部２１７からの音声情報を受け取ったことを示す通知が有れば音声情報を受け取ったと判断し（ステップＳ２０２：Ｙｅｓ）、ステップＳ２０３に移行する。
【００４８】
（ステップＳ２０３）
システム制御部２１８は、音声認識を指示する。
この場合、システム制御部２１８は、音声認識部２１３に対して音声認識を指示する。
このとき、音声認識部２１３は、音声情報に対する音声認識の結果を元に、テキストを作成する。
【００４９】
（ステップＳ２０４）
システム制御部２１８は、音声認識が完了したかどうかを判断する。
この場合、システム制御部２１８は、音声認識部２１３からの音声認識が完了したことを示す通知が無ければ音声認識が完了していないと判断する（ステップＳ２０４：Ｎｏ）。
これに対し、システム制御部２１８は、音声認識部２１３からの音声認識が完了したことを示す通知が有れば音声認識が完了したと判断し（ステップＳ２０４：Ｙｅｓ）、ステップＳ２０５に移行する。
【００５０】
（ステップＳ２０５）
システム制御部２１８は、音声分析を指示する。
この場合、システム制御部２１８は、発話分析部２１４に対し、音声分析を指示する。
このとき、発話分析部２１４は、音声認識部２１３が作成したテキストと、図６（ａ）のグループ討論情報１２０の項目欄１２０ｅ〜１２０ｊのキーワードａ〜ｃ、ａ１〜ｃ１とを元に、たとえば理解力、表現力、積極性、協調性についての分析を行う。また、発話分析部２１４は、分析結果を示す図７（ａ）のグループ討論評価２３０を作成する。
【００５１】
（ステップＳ２０６）
システム制御部２１８は、音声分析が完了したかどうかを判断する。
この場合、システム制御部２１８は、発話分析部２１４からの音声分析が完了したことを示す通知が無ければ音声分析が完了していないと判断する（ステップＳ２０６：Ｎｏ）。
これに対し、システム制御部２１８は、発話分析部２１４からの音声分析が完了したことを示す通知が有れば音声分析が完了したと判断し（ステップＳ２０６：Ｙｅｓ）、ステップＳ２０７に移行する。
【００５２】
（ステップＳ２０７）
システム制御部２１８は、分析結果を送信させる。
この場合、システム制御部２１８は、通信制御部２１７に対し、発話分析部２１４が作成した分析結果である図７（ａ）のグループ討論評価２３０の送信を指示する。
このとき、通信制御部２１７は、発話分析部２１４が作成した分析結果である７５（ａ）のグループ討論評価２３０を討論評価管理端末１００に送信する。
【００５３】
このように、本実施形態では、討論評価管理端末１００の表示部１０４により、グループ討論で必要な題材資料１５０Ａ（第１の資料）を表示し、システム制御部１１８により、題材資料１５０Ａ（第１の資料）の特定の文字列をグループ討論の評価のためのキーワードａ〜ｃを抽出し、評価設定管理部１１６により、抽出された特定の文字列をキーワードａ〜ｃとして設定したグループ討論情報１２０を生成し、システム制御部１１８により、グループ討論情報１２０を分析装置２００に送信する。また、評価設定管理部１１６は、ＨＤＤ１０５に記憶されている類似語データベース１４０を参照し、題材資料１５０Ａ（第１の資料）から設定したキーワードａ〜ｃに類似する類似語を検索し、グループ討論情報に新たなキーワードａ１〜ｃ１として設定する。
【００５４】
このように、第１の資料から設定したキーワードに類似する類似語については、類似語データベース１４０から検索してグループ討論情報１２０に新たなキーワードａ１〜ｃ１として設定されるので、類似語に対する設定作業が不要となり、キーワードａ〜ｃ、ａ１〜ｃ１の設定作業を簡素化できる。
【００５５】
なお、図８に示すステップＳ１０４の後、ステップＳ１０５を実行する前に、システム制御部１１８は、表示制御部１１５に対し、表示部１０４に生成したグループ討論情報１２０の表示を指示してもよい。この場合、表示されたグループ討論情報１２０のキーワードが選択（たとえば画面上でクリック）されると、システム制御部１１８は、表示制御部１１５に対し、題材資料１５０において選択されたキーワードが示されている箇所（たとえばページ）の表示を指示してもよい。ここで、システム制御部１１８は、キーボード１０２やマウス１０３の操作に応じて、表示されている題材資料１５０に付加されているマーカーｍの範囲や色の修正を受け付けてもよいし、新たなマーカーの付加を受け付けてもよい。この場合、処理をステップＳ１０１に戻してもよい。
【００５６】
また、キーワードａ〜ｃが音声認識結果から得られた場合と、模範回答情報から得られた場合とでキーワードａ〜ｃに付加される重み係数の規定値を異ならせてもよい。
【符号の説明】
【００５７】
１００  討論評価管理端末
１０１、２０１、３０１  Ｉ／Ｆ
１０２  キーボード
１０３  マウス
１０４  表示部
１０５、２０２  ＨＤＤ
１１０、２１０、３１０  制御部
１１１、２１７、３１３  通信制御部
１１２、２１１、３１１  ＲＡＭ
１１３、２１２、３１２  ＲＯＭ
１１４  入力デバイス制御部
１１５  表示制御部
１１６  評価設定管理部
１１７、２１６  ＨＤＤ制御部
１１８、２１８、３１７  システム制御部
１１９、２１９、３１８  データバス
１２０  グループ討論情報
１２０ａ〜１２０ｊ  項目欄
１３０  重み付け情報
１４０  類似語データベース
１５０Ａ、１５０Ｂ  題材資料
２００  分析装置
２１３  音声認識部
２１４  発話分析部
２１５  記述分析部
２３０  グループ討論評価
２４０  記述回答評価
３００  グループ討論用端末
３０２  パネル部
３０３  スピーカー
３０４  マイク
３１４  パネル操作制御部
３１５  スピーカー制御部
３１６  マイク制御部
３２０  入力ペン
４００  ネットワーク
ａ〜ｃ、ａ１〜ｃ１  キーワード
ｍ  マーカー
s  接頭語
【図１】
2019008362.tif 000003
【図２】
2019008362.tif 000004
【図３】
2019008362.tif 000005
【図４】
2019008362.tif 000006
【図５】
2019008362.tif 000007
【図６】
2019008362.tif 000008
【図７】
2019008362.tif 000009
【図８】
2019008362.tif 000010
【図９】
2019008362.tif 000011